(57)【要約】【課題】貨幣を投入すべき貨幣処理ユニットとは別の貨幣処理ユニットに操作者が貨幣を誤って投入してしまうことを防止することができる貨幣処理機および貨幣処理方法を提供する。【解決手段】貨幣処理機１０は、貨幣の入金処理を各々が行う本体側の貨幣処理ユニット（具体的には、紙幣処理装置２０、硬貨処理装置３０および貨幣収納部４０）と、追加の貨幣処理ユニット（具体的には、追加の硬貨処理装置３０ａおよび追加の貨幣収納部４０ａ）と、貨幣が投入されるべき貨幣処理ユニットを設定する設定手段５０と、報知部（具体的には、表示部４４）とを備えており、貨幣の入金処理が行われる際に、設定手段５０により設定された貨幣処理ユニットに係る情報を操作者に報知するようになっている。【選択図】図１
2018073280.tif 000002
【特許請求の範囲】
【請求項１】
貨幣の入金処理を各々が行う本体側の貨幣処理ユニットおよび追加の貨幣処理ユニットを備えた貨幣処理機であって、
貨幣が投入されるべき前記貨幣処理ユニットを設定する設定手段と、
貨幣の入金処理が行われる際に、前記設定手段により設定された前記貨幣処理ユニットに係る情報を操作者に報知する報知部と、
を備えた、貨幣処理機。
【請求項２】
前記設定手段により設定された前記貨幣処理ユニットとは別の前記貨幣処理ユニットに貨幣が投入されると、投入された貨幣を外部から取り出し可能な領域に送るよう別の前記貨幣処理ユニットを制御する制御部を更に備えた、請求項１記載の貨幣処理機。
【請求項３】
各前記貨幣処理ユニットは、それぞれ貨幣を投入するための投入口を有しており、
各前記投入口に残留している貨幣を検知する残留貨幣検知手段が各前記貨幣処理ユニットに設けられており、
前記設定手段により設定された前記貨幣処理ユニットとは別の前記貨幣処理ユニットにおいて前記残留貨幣検知手段により貨幣が検知されると、誤った前記貨幣処理ユニットに貨幣が投入されたと前記制御部により判定される、請求項１または２記載の貨幣処理機。
【請求項４】
各前記貨幣処理ユニットは、それぞれ貨幣を投入するための投入口と、各前記投入口を開閉するための開閉部材とを有しており、
前記設定手段により設定された前記貨幣処理ユニットの前記開閉部材が開かれるとともに前記設定手段により設定された前記貨幣処理ユニットとは別の前記貨幣処理ユニットの前記開閉部材が閉じられるようになっている、請求項１または２記載の貨幣処理機。
【請求項５】
前記設定手段により設定された前記貨幣処理ユニットとは別の前記貨幣処理ユニットに貨幣が投入された場合に、このことが前記報知部により操作者に報知されるようになっている、請求項１乃至３のいずれか一項に記載の貨幣処理機。
【請求項６】
前記設定手段により設定された前記貨幣処理ユニットとは別の前記貨幣処理ユニットから貨幣を取り出す旨の指示が前記報知部により操作者に報知されるようになっている、請求項２記載の貨幣処理機。
【請求項７】
前記設定手段により設定された前記貨幣処理ユニットとは別の前記貨幣処理ユニットから取り出された貨幣を前記設定手段により設定された前記貨幣処理ユニットに再投入する旨の指示が前記報知部により操作者に報知されるようになっている、請求項６記載の貨幣処理機。
【請求項８】
貨幣の入金処理を各々が行う本体側の貨幣処理ユニットおよび追加の貨幣処理ユニットを備えた貨幣処理機による貨幣処理方法であって、
貨幣が投入されるべき前記貨幣処理ユニットを設定する工程と、
貨幣の入金処理が行われる際に、設定された前記貨幣処理ユニットに係る情報を操作者に報知する工程と、
を備えた、貨幣処理方法。
【発明の詳細な説明】
【技術分野】
【０００１】
本発明は、貨幣の入金処理を各々が行う本体側の貨幣処理ユニットおよび追加の貨幣処理ユニットを備えた貨幣処理機およびこのような貨幣処理機を用いた貨幣処理方法に関する。
【背景技術】
【０００２】
貨幣の入金処理や出金処理等の様々な処理を行う貨幣処理機として従来から様々なタイプのもの知られている（例えば、特許文献１等参照）。ここで、特許文献１には、単体で紙幣および硬貨の処理を行うことが可能な貨幣処理機に、追加の紙幣処理装置および追加の硬貨処理装置が設けられたものが開示されている。また、この貨幣処理機は、例えば硬貨の処理を行う場合に、まず１つ目の硬貨処理装置を優先的に用いて硬貨の処理を行い、当該１つ目の硬貨処理装置に対応する硬貨収納カセットがフル状態になった場合に、追加の硬貨処理装置を用いて硬貨の処理を行うことができるようになっている。また、このような運用を行う場合には、１つ目の硬貨処理装置および追加の硬貨処理装置を同時に使用することがないため、硬貨の取引量が各々の硬貨収納カセット容量よりも小さい場合には、回収される硬貨収納カセットの数を少なくする（すなわち、一方の硬貨収納カセットのみを回収させる）ことができるようになっている。
【先行技術文献】
【特許文献】
【０００３】
【特許文献１】特開２０１０−２２４７３８号公報
【発明の概要】
【発明が解決しようとする課題】
【０００４】
しかしながら、特許文献１に開示されている従来の貨幣処理機では、入金命令がなされている貨幣処理装置（すなわち、設定手段により貨幣が投入されることが設定されている貨幣処理装置）とは別の貨幣処理装置に貨幣が誤投入されてしまうおそれがあるという問題があった。
【０００５】
本発明は、このような点を考慮してなされたものであり、貨幣の入金処理を各々が行う本体側の貨幣処理ユニットおよび追加の貨幣処理ユニットを備えた貨幣処理機において、貨幣が投入されるべき貨幣処理ユニットを設定し、貨幣の入金処理が行われる際に設定された貨幣処理ユニットに係る情報を操作者に報知することにより、貨幣を投入すべき貨幣処理ユニットとは別の貨幣処理ユニットに操作者が貨幣を誤って投入してしまうことを防止することができる貨幣処理機および貨幣処理方法を提供することを目的とする。
【課題を解決するための手段】
【０００６】
本発明の貨幣処理機は、貨幣の入金処理を各々が行う本体側の貨幣処理ユニットおよび追加の貨幣処理ユニットを備えた貨幣処理機であって、貨幣が投入されるべき前記貨幣処理ユニットを設定する設定手段と、貨幣の入金処理が行われる際に、前記設定手段により設定された前記貨幣処理ユニットに係る情報を操作者に報知する報知部と、を備えていることを特徴とする。
【０００７】
このような貨幣処理機によれば、貨幣が投入されるべき貨幣処理ユニットを設定し、貨幣の入金処理が行われる際に設定された貨幣処理ユニットに係る情報を操作者に報知することにより、貨幣を投入すべき貨幣処理ユニットとは別の貨幣処理ユニットに操作者が貨幣を誤って投入してしまうことを防止することができる。
【０００８】
本発明の貨幣処理機は、前記設定手段により設定された前記貨幣処理ユニットとは別の前記貨幣処理ユニットに貨幣が投入されると、投入された貨幣を外部から取り出し可能な領域に送るよう別の前記貨幣処理ユニットを制御する制御部を更に備えていてもよい。
【０００９】
本発明の貨幣処理機においては、各前記貨幣処理ユニットは、それぞれ貨幣を投入するための投入口を有しており、各前記投入口に残留している貨幣を検知する残留貨幣検知手段が各前記貨幣処理ユニットに設けられており、前記設定手段により設定された前記貨幣処理ユニットとは別の前記貨幣処理ユニットにおいて前記残留貨幣検知手段により貨幣が検知されると、誤った前記貨幣処理ユニットに貨幣が投入されたと前記制御部により判定されるようになっていてもよい。
【００１０】
あるいは、本発明の貨幣処理機において、各前記貨幣処理ユニットは、それぞれ貨幣を投入するための投入口と、各前記投入口を開閉するための開閉部材とを有しており、前記設定手段により設定された前記貨幣処理ユニットの前記開閉部材が開かれるとともに前記設定手段により設定された前記貨幣処理ユニットとは別の前記貨幣処理ユニットの前記開閉部材が閉じられるようになっていてもよい。
【００１１】
本発明の貨幣処理機においては、前記設定手段により設定された前記貨幣処理ユニットとは別の前記貨幣処理ユニットに貨幣が投入された場合に、このことが前記報知部により操作者に報知されるようになっていてもよい。
【００１２】
また、前記設定手段により設定された前記貨幣処理ユニットとは別の前記貨幣処理ユニットから貨幣を取り出す旨の指示が前記報知部により操作者に報知されるようになっていてもよい。
【００１３】
また、前記設定手段により設定された前記貨幣処理ユニットとは別の前記貨幣処理ユニットから取り出された貨幣を前記設定手段により設定された前記貨幣処理ユニットに再投入する旨の指示が前記報知部により操作者に報知されるようになっていてもよい。
【００１４】
本発明の貨幣処理方法は、貨幣の入金処理を各々が行う本体側の貨幣処理ユニットおよび追加の貨幣処理ユニットを備えた貨幣処理機による貨幣処理方法であって、貨幣が投入されるべき前記貨幣処理ユニットを設定する工程と、貨幣の入金処理が行われる際に、設定された前記貨幣処理ユニットに係る情報を操作者に報知する工程と、を備えたことを特徴とする。
【００１５】
このような貨幣処理方法によれば、貨幣が投入されるべき貨幣処理ユニットを設定し、貨幣の入金処理が行われる際に設定された貨幣処理ユニットに係る情報を操作者に報知することにより、貨幣を投入すべき貨幣処理ユニットとは別の貨幣処理ユニットに操作者が貨幣を誤って投入してしまうことを防止することができる。
【発明の効果】
【００１６】
本発明の貨幣処理機によれば、貨幣を投入すべき貨幣処理ユニットとは別の貨幣処理ユニットに操作者が貨幣を誤って投入してしまうことを防止することができる。
【図面の簡単な説明】
【００１７】
【図１】本発明の実施の形態による貨幣処理機の外観を示す斜視図である。
【図２】図１に示す貨幣処理機における紙幣処理装置の内部構成を示す構成図である。
【図３】図１に示す貨幣処理機における硬貨処理装置の内部構成を示す構成図である。
【図４】図１に示す貨幣処理機における制御系の構成を示す機能ブロック図である。
【図５】図１に示す貨幣処理機に貨幣が投入されたときの貨幣処理機の動作の一例を示すフローチャートである。
【図６】図１に示す貨幣処理機に貨幣が投入されたときの貨幣処理機の動作の他の例を示すフローチャートである。
【図７】本発明の実施の形態による貨幣処理機の変形例に係る構成の外観を示す斜視図である。
【発明を実施するための形態】
【００１８】
以下、図面を参照して本発明の実施の形態について説明する。図１乃至図７は、本実施の形態による貨幣処理機を示す図である。このうち、図１は、本実施の形態による貨幣処理機の外観を示す斜視図であり、図２および図３は、それぞれ、図１に示す貨幣処理機における紙幣処理装置および硬貨処理装置の内部構成を示す構成図である。また、図４は、図１に示す貨幣処理機における制御系の構成を示す機能ブロック図である。また、図５は、図１に示す貨幣処理機に貨幣が投入されたときの貨幣処理機の動作の一例を示すフローチャートであり、図６は、図１に示す貨幣処理機に貨幣が投入されたときの貨幣処理機の動作の他の例を示すフローチャートである。また、図７は、本発明の実施の形態による貨幣処理機の変形例に係る構成の外観を示す斜視図である。本実施の形態による貨幣処理機は、例えば店舗等のバックヤード領域に設置されており、店舗等における売上金としての貨幣の入金処理や、釣銭準備金等の貨幣の出金処理、および貨幣の回収業務を行う警送会社等の回収業者へ売上金等の貨幣を引き渡す引渡処理等を行うようになっている。
【００１９】
図１に示すように、本実施の形態による貨幣処理機１０は略直方体形状の筐体１１を備えており、この筐体１１の内部には、貨幣処理機１０を前方から見て上部において左右に並ぶよう配置された紙幣処理装置２０および硬貨処理装置３０が設けられている。ここで、紙幣処理装置２０および硬貨処理装置３０は、それぞれ、紙幣や硬貨の入金処理および出金処理を行うようになっている。また、貨幣処理機１０の筐体１１の内部において、紙幣処理装置２０および硬貨処理装置３０の下方には、硬貨および紙幣の収納を行う貨幣収納部４０が設けられている。ここで、貨幣処理機１０のうち、紙幣処理装置２０および硬貨処理装置３０は店舗側の管理権限下にあり、貨幣収納部４０は警送会社等の回収業者側の管理権限下にある。また、本実施の形態による貨幣処理機１０では、硬貨の入金処理および出金処理を行う追加の硬貨処理装置３０ａおよび追加の貨幣収納部４０ａを増設可能となっている。ここで、貨幣処理機１０において追加の硬貨処理装置３０ａおよび追加の貨幣収納部４０ａが増設された場合、追加の硬貨処理装置３０ａは店舗側の管理権限下にあり、追加の貨幣収納部４０ａは警送会社等の回収業者側の管理権限下にある。
【００２０】
本実施の形態では、紙幣処理装置２０、硬貨処理装置３０および貨幣収納部４０は、本体側の貨幣処理ユニットとして機能し、追加の硬貨処理装置３０ａおよび追加の貨幣収納部４０ａは、本体側の貨幣処理ユニットに増設される追加の貨幣処理ユニットとして機能するようになっている。
【００２１】
次に、本体側の貨幣処理ユニットにおける紙幣処理装置２０、硬貨処理装置３０および貨幣収納部４０の詳細について説明する。
【００２２】
まず、紙幣処理装置２０の構成について図１および図２を用いて説明する。図２は、図１に示す紙幣処理装置２０の内部構成を右側から見たときの図である。なお、図２における筐体１１の左側の側面が紙幣処理装置２０の前面側（すなわち、紙幣処理装置２０を手前側から見たときの正面側）となっており、図２における右方向が筐体１１の奥行き方向となっている。
【００２３】
図１および図２に示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図２に示すように、紙幣処理装置２０の内部には、紙幣投入口２１に投入された紙幣を紙幣処理装置２０内で搬送する搬送部２５が設けられている。
【００２４】
紙幣投入口２１は、操作者により１または束状態の複数の紙幣が短手方向に一括して投入されるよう構成されている。図１に示すように、この紙幣投入口２１には紙幣ステージ２８が配設されている。紙幣ステージ２８は、待機時には上昇位置にありこの際には操作者は紙幣投入口２１に紙幣を投入することができず、一方、紙幣の入金処理時や補充処理時には下降して操作者が紙幣投入口２１に紙幣を投入することができるように構成されている。また、図２に示すように、紙幣投入口２１は搬送部２５に接続されており、紙幣投入口２１に投入された１または束状態の複数の紙幣は、１枚ずつ搬送部２５に繰り出されて当該搬送部２５で搬送されるようになっている。また、紙幣リジェクト口２２は、図２に示すように搬送部２５に接続されており、紙幣投入口２１により紙幣処理装置２０内に取り込まれた紙幣のうち後述する識別部２６によりリジェクトすべき紙幣であると識別された紙幣や識別部２６で識別することができなかった紙幣が搬送部２５から送られるようになっている。操作者はこの紙幣リジェクト口２２に送られた紙幣を筐体１１の前面側から取り出すことができるようになっている。
【００２５】
紙幣返却口２３には、図２に示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、扉２４が開いて操作者は紙幣返却口２３から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣回収カセット４１（後述）に送られる場合もある。
【００２６】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図２に示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。また、搬送部２５には、当該搬送部２５で搬送される紙幣の識別を行う識別部２６が介設されている。この識別部２６は、搬送部２５で搬送される紙幣の金種、真偽、正損、表裏、新旧、搬送状態等を識別するようになっている。識別部２６による紙幣の識別結果は後述する制御部１５に送られるようになっている。
【００２７】
紙幣処理装置２０の内部には、リサイクル式紙幣収納部２７が複数（例えば３つ）並列に設けられている。ここで、複数のリサイクル式紙幣収納部２７ａ〜２７ｃは、概して金種毎に紙幣を一時的に収納するようになっている。図２に示すように、各リサイクル式紙幣収納部２７は、正逆両方向に回転可能なドラム２７ｐをそれぞれ有しており、各ドラム２７ｐに一対のテープが巻き取られるようになっている。搬送部２５から各リサイクル式紙幣収納部２７に送られた紙幣は、この一対のテープの間に挟まれた状態で１枚ずつ順次ドラム２７ｐにより巻き取られて収納される。また、ドラム２７ｐを逆転させると、巻き取られた紙幣が１枚ずつ搬送部２５に送られる。なお、各リサイクル式紙幣収納部２７は、上述のような、ドラム２７ｐおよび一対のテープからなり紙幣が一対のテープの間に挟まれた状態でこの一対のテープごとドラム２７ｐにより巻き取られるような構成に限定されることはなく、他の構成とすることもできる。例えば、各リサイクル式紙幣収納部２７をスタッカ式（積層式）のものとしてもよい。
【００２８】
紙幣保留部２９は、前述のように紙幣返却口２３に設けられており、図２に示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。図２に示すように、紙幣保留部２９には一時保留板２９ａおよび押さえ部材２９ｂが設けられている。ここで、紙幣保留部２９にある紙幣を返却する場合には、前述のように、筐体１１の前面側における扉２４が開いて操作者は紙幣返却口２３から紙幣を取り出すことができるようになっている。扉２４は、紙幣の取り出しが可能な状態になれば、自動的に開くようになっている。また、紙幣保留部２９に紙幣が保留される際に、紙幣は一時保留板２９ａに載せられるようになっており、紙幣保留部２９にある紙幣を紙幣回収カセット４１に収納させる際には、この紙幣回収カセット４１に設けられたステージ４１ａが紙幣保留部２９の一時保留板２９ａに載せられた紙幣を迎えにいき、一時保留板２９ａが図２の矢印方向に退避することにより紙幣をステージ４１ａ上に載せて紙幣保留部２９から紙幣回収カセット４１へ下降し、そしてステージ４１ａ上の紙幣を上から押さえ部材２９ｂで押さえて紙幣回収カセット４１へ収納するようになっている。
【００２９】
次に、硬貨処理装置３０の構成について図１および図３を用いて説明する。図３は、図１に示す硬貨処理装置３０の内部構成を右側から見たときの図である。なお、図３における筐体１１の左側の側面が硬貨処理装置３０の前面側（すなわち、硬貨処理装置３０を手前側から見たときの正面側）となっており、図３における右方向が筐体１１の奥行き方向となっている。
【００３０】
図１および図３に示すように、硬貨処理装置３０は、当該硬貨処理装置３０内への硬貨の取り込みを行う硬貨投入口３１と、硬貨投入口３１により硬貨処理装置３０内へ取り込まれた硬貨を１枚ずつ繰り出す硬貨繰出部３３と、硬貨繰出部３３により繰り出された硬貨を硬貨処理装置３０内で１枚ずつ搬送する搬送部３５と、硬貨処理装置３０内に取り込まれた硬貨のうち偽貨や識別不能な硬貨等のリジェクトを行う硬貨リジェクト口３２とを備えている。
【００３１】
硬貨投入口３１は、操作者により１または複数の硬貨が一括して投入されるよう構成されている。また、硬貨投入口３１の下方には、ホッパ等から構成される硬貨繰出部３３が設けられており、硬貨投入口３１に投入された硬貨は自重により落下して硬貨繰出部３３に貯留されるようになっている。また、図３に示すように、硬貨繰出部３３には、硬貨投入口３１により硬貨処理装置３０内へ取り込まれた硬貨が硬貨繰出部３３に残留しているか否かの検知を行うための残留硬貨検知手段３３ａ（残留貨幣検知手段）が設けられている。この残留硬貨検知手段３３ａは１または複数の光センサ等から構成されており、硬貨繰出部３３に残留している硬貨はこの光センサ等により検知されるようになっている。また、当該残留硬貨検知手段３３ａによる検知結果は後述する制御部１５に送られるようになっている。また、硬貨繰出部３３は、当該硬貨繰出部３３に貯留されている硬貨を１枚ずつ搬送部３５に繰り出すようになっている。
【００３２】
搬送部３５は、硬貨繰出部３３から繰り出された硬貨を１枚ずつ図３における右方向に搬送するようになっている。また、搬送部３５には、上流側から順に、搬送部３５で搬送される硬貨の識別を行う識別部３５ａ、識別部３５ａにより偽貨や識別不能な硬貨等であると識別された硬貨を選別するリジェクト選別部３５ｂ、識別部３５ａにより識別された硬貨の金種に対応する、後述するリサイクル式硬貨収納部３４がフル状態またはニアフル状態である場合に当該硬貨を選別するオーバーフロー選別部３５ｃ、および硬貨を金種毎に選別する選別部３６がそれぞれ設けられている。識別部３５ａは、搬送部３５で搬送される硬貨の金種、真偽、正損、表裏、新旧、搬送状態等を識別するようになっている。識別部３５ａによる硬貨の識別結果は後述する制御部１５に送られるようになっている。また、リジェクト選別部３５ｂは、識別部３５ａにより偽貨や識別不能な硬貨等であると識別された硬貨を搬送部３５から選別し、この選別された硬貨を硬貨リジェクト口３２に送るようになっている。また、オーバーフロー選別部３５ｃは、識別部３５ａにより識別された硬貨の金種に対応する、後述するリサイクル式硬貨収納部３４がフル状態またはニアフル状態である場合に当該硬貨を搬送部３５から選別し、この選別された硬貨を出金一時保留部３７（後述）に直接送るようになっている。また、選別部３６は、識別部３５ａにより識別された硬貨の金種に基づいて、搬送部３５から硬貨を金種毎に選別して後述する各リサイクル式硬貨収納部３４に金種毎に送るようになっている。
【００３３】
硬貨処理装置３０の内部には、複数（例えば６つ）のリサイクル式硬貨収納部３４が並列に設けられている。各リサイクル式硬貨収納部３４には、選別部３６により搬送部３５から選別された硬貨が収納されるようになっている。また、各リサイクル式硬貨収納部３４における硬貨収納領域の底部には繰出ベルト等の繰出部が設けられており、各リサイクル式硬貨収納部３４に収納されている硬貨は繰出部により１枚ずつ出金搬送部３４ａに繰り出されるようになっている。各リサイクル式硬貨収納部３４から繰り出された硬貨は出金搬送部３４ａにより後述する出金一時保留部３７に送られるようになっている。
【００３４】
出金一時保留部３７は、図３において実線で示すような保留位置と、保留位置から図３において左側に移動した位置である出金位置（図３において二点鎖線で表示）と、保留位置から図３において右側に移動した位置である引渡位置（図３において二点鎖線で表示）との間で水平方向に移動可能となっている。なお、通常時は出金一時保留部３７は保留位置で待機するようになっている。出金一時保留部３７が保留位置で待機しているときには、オーバーフロー選別部３５ｃにより搬送部３５から選別された硬貨や、各リサイクル式硬貨収納部３４から繰り出された硬貨が出金一時保留部３７に送られ、この出金一時保留部３７に一時的に保留されるようになる。また、筐体１１の前面側には硬貨返却口３８が設けられており、この硬貨返却口３８には開閉可能な扉３８ａ（図１参照）が設けられている。ここで、出金一時保留部３７が保留位置から出金位置に移動すると、出金一時保留部３７の底部が開かれることによりこの出金一時保留部３７に保留されている硬貨が硬貨返却口３８に送られ、当該硬貨返却口３８に硬貨が集積されるようになる。また、出金一時保留部３７に保留されている硬貨が硬貨返却口３８に送られると、扉３８ａが自動的に開くようになり、このことにより操作者は硬貨返却口３８から硬貨を取り出すことができるようになる。また、出金一時保留部３７の引渡位置の下方には収納シュート３９が設けられており、出金一時保留部３７が保留位置から引渡位置に移動すると、出金一時保留部３７の底部が開かれることによりこの出金一時保留部３７に保留されている硬貨が収納シュート３９に送られ、収納シュート３９により硬貨が貨幣収納部４０内に配置された硬貨回収カセット４２（後述）に送られるようになっている。
【００３５】
次に、貨幣収納部４０の構成について図１乃至図３を用いて説明する。図１に示すように、貨幣収納部４０は、貨幣処理機１０の筐体１１の下部に設けられている。この貨幣収納部４０は、図２および図３に示すように、紙幣を収納する紙幣回収カセット４１および硬貨を収納する硬貨回収カセット４２を有している。紙幣回収カセット４１には、紙幣処理装置２０の紙幣保留部２９に保留された紙幣が収納されるようになっている（図２参照）。一方、硬貨回収カセット４２には、出金一時保留部３７から収納シュート３９に送られた硬貨が収納されるようになっている（図３参照）。上述したように、貨幣収納部４０は警送会社等の回収業者側の管理権限下にあるため、回収業者の収集特定者によって、貨幣収納部４０が筐体１１の前面側へ引き出され、この収集特定者が各カセット４１、４２自体を貨幣収納部４０から回収するようになっている。
【００３６】
紙幣回収カセット４１の上面にはシャッタ（図示せず）が設けられている。紙幣回収カセット４１が貨幣収納部４０に収容された状態でこの貨幣収納部４０が筐体１１内にセットされた後、特定の処理を行うときに、図示しない駆動装置によって駆動されてシャッタは開いた状態となる。具体的には、例えば、紙幣の引渡処理が行われるときにはシャッタが開いた状態となっており、紙幣保留部２９から紙幣回収カセット４１に紙幣を送ることができる。引渡処理が終了すると、シャッタは閉じた状態となる。一方、貨幣収納部４０が筐体１１から引き出されるときには、シャッタは必ず閉じた状態となる。また、紙幣回収カセット４１は錠を備えた図示しない扉を有しており、鍵を持つ特定の権限を有する者でないと扉の錠を開くことができないようになっている。また、紙幣回収カセット４１において、紙幣がステージ４１ａ上に積層状態で集積されるようになっている。ここで、ステージ４１ａは図２における上下方向に移動可能となっており、ステージ４１ａ上に紙幣が集積される度に、当該ステージ４１ａの位置が下降するようになっている。
【００３７】
また、硬貨回収カセット４２の上面にもシャッタ（図示せず）が設けられている。硬貨回収カセット４２が貨幣収納部４０に収容された状態でこの貨幣収納部４０が筐体１１内にセットされたときに、シャッタは開いた状態となる。このため、硬貨の引渡処理が行われるときにはシャッタが開いた状態となっており、出金一時保留部３７から収納シュート３９を介して硬貨回収カセット４２に硬貨を送ることができる。一方、貨幣収納部４０が筐体１１から引き出されたときには、シャッタは閉じた状態となる。また、硬貨回収カセット４２は錠を備えた図示しない扉を有しており、鍵を持つ特定の権限を有する者でないと扉の錠を開くことができないようになっている。
【００３８】
ここで、前述のように、紙幣処理装置２０や硬貨処理装置３０は店舗側に管理権限がある。このため、紙幣処理装置２０におけるリサイクル式紙幣収納部２７や、硬貨処理装置３０におけるリサイクル式硬貨収納部３４にある紙幣や硬貨に対する様々な処理や、この紙幣や硬貨の入出金情報や在高データへのアクセスは店舗側の権限のある操作者のみが行うことができる。一方、貨幣収納部４０は警送会社等の回収業者側に管理権限があるため、貨幣収納部４０にある紙幣や硬貨の回収は回収業者の収集特定者のみが行うことができるようになっている。
【００３９】
次に、貨幣処理機１０に設けられた他の様々な機構について説明する。図１に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示するための表示部４４がそれぞれ設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。
【００４０】
また、筐体１１の前面には、貨幣処理機１０における貨幣の処理内容等を印字するプリンタ４３、および操作者の操作権限の確認を行うためのカードリーダ４６がそれぞれ設けられている。カードリーダ４６は、操作者が携帯するＩＤカードのＩＤ情報の読み取りを行うようになっているが、貨幣処理機１０が例えばスーパーの顧客等により用いられる場合には、顧客等はＩＤカードを必要とすることなく貨幣処理機１０を釣銭機として用いることができる。
【００４１】
次に、追加の貨幣処理ユニットにおける追加の硬貨処理装置３０ａおよび追加の貨幣収納部４０ａの詳細について説明する。
【００４２】
追加の硬貨処理装置３０ａは、上述した硬貨処理装置３０と略同一の構成となっている。すなわち、追加の硬貨処理装置３０ａの内部構成は図３に示すような構成と略同一の構成となっている。また、追加の貨幣収納部４０ａは、追加の硬貨処理装置３０ａの下方に設けられており、上述した貨幣収納部４０における硬貨回収カセット４２と同様の構成の硬貨回収カセット４２を有している。硬貨回収カセット４２には、追加の硬貨処理装置３０ａにおける出金一時保留部３７から収納シュート３９に送られた硬貨が収納されるようになっている（図３参照）。上述したように、追加の貨幣収納部４０ａは警送会社等の回収業者側に管理権限があるため、回収業者の収集特定者によって、追加の貨幣収納部４０ａが筐体１１の前面側へ引き出され、この収集特定者が硬貨回収カセット４２自体を追加の貨幣収納部４０ａから回収するようになっている。
【００４３】
次に、貨幣処理機１０における各構成部材の制御を行う制御部１５について図４を用いて説明する。制御部１５は貨幣処理機１０の筐体１１内に設置されている。
【００４４】
図４に示すように、制御部１５には、紙幣処理装置２０の各構成部材（例えば、搬送部２５、識別部２６、リサイクル式紙幣収納部２７、紙幣ステージ２８、紙幣保留部２９、扉２４等）、硬貨処理装置３０の各構成部材（例えば、硬貨繰出部３３、残留硬貨検知手段３３ａ、搬送部３５、識別部３５ａ、選別部３６、リサイクル式硬貨収納部３４、出金一時保留部３７等）、貨幣収納部４０、プリンタ４３、表示部４４、操作部４５、カードリーダ４６、記憶部４７、通信インターフェース部４８、設定手段５０等が接続されている。また、貨幣処理機１０において、追加の貨幣処理ユニットとして追加の硬貨処理装置３０ａや追加の貨幣収納部４０ａが増設されている場合には、追加の硬貨処理装置３０ａの各構成部材や追加の貨幣収納部４０ａも制御部１５に接続されるようになる。
【００４５】
制御部１５には、紙幣処理装置２０の識別部２６による紙幣の識別結果、ならびに硬貨処理装置３０や追加の硬貨処理装置３０ａにおける残留硬貨検知手段３３ａによる検知結果や識別部３５ａによる硬貨の識別結果が送られるようになっている。また、制御部１５には、操作部４５により入力された情報やカードリーダ４６によりカードから読み取られた操作者のＩＤ情報等が送られるようになっている。
【００４６】
また、制御部１５は、貨幣処理機１０の操作が行われる際に操作部４５やカードリーダ４６から入力された操作者のＩＤ情報等をもとに操作者の権限の確認を行うことにより貨幣処理機１０の操作が行えるよう貨幣処理機１０の各構成部材を制御するようになっているが、貨幣処理機１０が例えば釣銭機としてスーパーの顧客等により用いられる場合には、このような操作者の権限の確認を行う必要なしに貨幣処理機１０の操作が行えるようになっていてもよい。また、制御部１５は、紙幣処理装置２０や硬貨処理装置３０、追加の硬貨処理装置３０ａの各構成部材を制御したり、表示部４４、プリンタ４３等を制御したりするようになっている。
【００４７】
また、制御部１５は、通信インターフェース部４８を介して上位端末等の外部装置に対して信号の送受信を行うようになっている。
【００４８】
また、制御部１５には設定手段５０が接続されており（図４参照）、当該設定手段５０は、操作者により操作部４５を用いて入力された情報や、上位端末等の外部装置から通信インターフェース部４８を介して制御部１５に送信された情報に基づいて、貨幣を投入すべき貨幣処理ユニットを設定するようになっている。具体的には、設定手段５０は、追加の貨幣処理ユニットとして追加の硬貨処理装置３０ａおよび追加の貨幣収納部４０ａが増設されている状態において、例えば硬貨を貨幣処理機１０に投入する場合に、硬貨処理装置３０または追加の硬貨処理装置３０ａのどちらに硬貨を投入すべきであるかを設定するようになっている。
【００４９】
本実施の形態では、表示部４４は、設定手段５０により設定された貨幣を投入すべき貨幣処理ユニットに係る情報を操作者に報知するための報知部として機能するようになっている。具体的には、例えば、本体側の貨幣処理ユニットに貨幣の入金を行うよう設定手段５０により設定されている場合において、硬貨の入金処理が行われる際には、硬貨処理装置３０に硬貨を投入する旨のガイダンス画面が表示部４４に表示されるようになっている。このことにより、操作者は、貨幣を投入すべき貨幣処理装置とは別の貨幣処理装置に貨幣を誤って投入してしまうことを防止することができるようになっている。
【００５０】
なお、操作者に対して報知を行うための報知部は、上述した表示部４４に限定されることはない。操作者に対して報知を行うための他の手段として、表示部４４による表示以外の方法（例えば、音声）により操作者に報知が行われるようになっていてもよい。また、各々の貨幣処理ユニットの投入口近傍にＬＥＤランプ等を設け、当該ＬＥＤランプを点灯、点滅させる等により、操作者に設定手段５０により設定された貨幣処理ユニットに係る情報を報知するようになっていてもよい。具体的には、硬貨処理装置３０の硬貨投入口３１および追加の硬貨処理装置３０ａの硬貨投入口３１の近傍にそれぞれＬＥＤランプを設け、設定手段５０により設定された貨幣処理ユニットのＬＥＤランプのみを点灯させることにより、操作者に設定手段５０により設定された貨幣処理ユニットに係る情報を報知するようになっていてもよい。
【００５１】
また、本実施の形態においては、上述したように、設定手段５０および報知部（具体的には、表示部４４）が制御部１５に接続されているが、制御部１５の設置が省略されていてもよい。少なくとも設定手段５０および表示部４４等の報知部が設けられていれば、貨幣の入金処理が行われる際に、設定手段５０により設定された貨幣処理ユニットに係る情報を操作者に報知することができるようになる。このことにより、設定手段５０により設定された貨幣を投入すべき貨幣処理装置とは別の貨幣処理装置に操作者が貨幣を誤って投入してしまうことを防止することができるようになる。
【００５２】
次に、このような構成からなる貨幣処理機１０の動作について説明する。本実施の形態では、貨幣処理機１０において、紙幣や硬貨の入金処理、出金処理、補充処理、回収処理、引渡処理等を行うことができるようになっている。なお、以下に示すような貨幣処理機１０の動作は、制御部１５が紙幣処理装置２０や硬貨処理装置３０、追加の硬貨処理装置３０ａ等の各構成部材を制御することによって行われるようになっている。
【００５３】
まず、紙幣や硬貨の入金処理について簡単に説明する。貨幣処理機１０において紙幣や硬貨の入金処理を行うにあたり、操作者が紙幣処理装置２０の紙幣投入口２１に紙幣を投入したり硬貨処理装置３０や追加の硬貨処理装置３０ａの硬貨投入口３１に硬貨を投入したりすると、筐体１１の内部に投入された紙幣や硬貨は識別部２６、３５ａにより識別された後に各リサイクル式紙幣収納部２７や各リサイクル式硬貨収納部３４に金種毎に収納される。
【００５４】
次に、紙幣や硬貨の出金処理について簡単に説明する。貨幣処理機１０において紙幣や硬貨の出金処理を行うにあたり、操作者が出金されるべき紙幣や硬貨の金種毎の枚数や合計金額等を操作部４５により入力すると、紙幣処理装置２０の各リサイクル式紙幣収納部２７に収納されている紙幣が当該リサイクル式紙幣収納部２７から繰り出されて紙幣返却口２３に送られたり、硬貨処理装置３０や追加の硬貨処理装置３０ａの各リサイクル式硬貨収納部３４に収納されている硬貨が当該リサイクル式硬貨収納部３４から繰り出されて出金一時保留部３７に保留された後に硬貨返却口３８に送られたりする。このことにより、操作者は出金されるべき紙幣や硬貨を紙幣返却口２３や硬貨返却口３８から筐体１１の外部に取り出すことができるようになる。
【００５５】
また、本実施の形態では、追加の貨幣処理ユニットとして追加の硬貨処理装置３０ａおよび追加の貨幣収納部４０ａが増設されている場合において、特定の権限を有する操作者が入金処理を行う際に、操作部４５等により本体側貨幣処理ユニットおよび増設された追加の貨幣処理ユニットのうち、どの貨幣処理ユニットに貨幣を投入すべきかを入力することができるようになっている。そして、設定手段５０は、入力された情報に基づいて、本体側貨幣処理ユニットおよび増設された追加の貨幣処理ユニットのうち、どの貨幣処理ユニットに貨幣を投入すべきであるかを設定するようになっている。なお、上述したように、特定の権限を有する操作者が貨幣処理機１０の操作部４５により直接入力を行うような態様のみに限定されることはなく、例えば通信インターフェース部４８を介して制御部１５に外部装置から送信された情報に基づいて設定手段５０が貨幣の投入されるべき処理ユニットを設定するようになっていてもよい。以下、設定手段５０により、本体側の貨幣処理ユニットに貨幣を投入すべきであることが設定された場合における貨幣処理機１０の動作について、図５に示すフローチャートを用いて説明する。
【００５６】
貨幣処理機１０において追加の貨幣処理ユニットとして追加の硬貨処理装置３０ａおよび追加の貨幣収納部４０ａが増設されているときに、本体側の貨幣処理ユニット（すなわち、紙幣処理装置２０および硬貨処理装置３０）に貨幣を投入すべきことが設定手段５０により設定されている場合（ＳＴＥＰ１）には、貨幣の入金処理が行われる際に、設定手段５０により設定されている貨幣処理ユニット（例えば、硬貨処理装置３０）に係る情報が報知部により操作者に報知されるようになっている。上述したように、操作者への報知は、例えば表示部４４に操作者への報知内容を表示させることにより行われる。
【００５７】
ここで、貨幣処理機１０により貨幣の入金処理が行われる際に、設定手段５０により設定されている貨幣処理ユニット（例えば、硬貨処理装置３０）に貨幣（具体的には、硬貨）が正しく投入された場合には（ＳＴＥＰ２の「ＹＥＳ」）、この投入された貨幣はそのまま入金処理され（ＳＴＥＰ３）、貨幣処理機１０の内部に収納される。
【００５８】
また、貨幣の入金処理が行われる際に、設定手段５０により設定された貨幣処理ユニット（例えば、硬貨処理装置３０）とは別の貨幣処理ユニット（例えば、硬貨処理装置３０ａ）に硬貨が投入され（ＳＴＥＰ２の「ＮＯ」）、残留貨幣検知手段（例えば、硬貨処理装置３０ａに設けられた残留硬貨検知手段３３ａ）によりこの硬貨が検知された場合（ＳＴＥＰ４の「ＹＥＳ」）には、誤った貨幣処理ユニットに貨幣が投入された旨の画面が表示部４４に表示されるようになっている。このことにより、操作者は、設定手段５０により設定された貨幣処理ユニットとは別の貨幣処理ユニットに貨幣を誤投入したことを即座に認識することができるようになる。
【００５９】
上述のように、本実施の形態の貨幣処理機１０において、硬貨処理装置３０および追加の硬貨処理装置３０ａにはそれぞれ残留硬貨検知手段３３ａが設けられており、当該残留硬貨検知手段３３ａによって検知された情報は、制御部１５へ送信されるようになっている。また、残留硬貨検知手段３３ａおよび設定手段５０は、制御部１５に接続されている。このことにより、設定手段５０により設定された硬貨処理装置３０とは別の硬貨処理装置３０ａにおいて、硬貨繰出部３３に硬貨が残留していることが残留硬貨検知手段３３ａにより検知されると、制御部１５は、設定手段５０により設定された貨幣処理ユニットに係る情報と、硬貨が残留している貨幣処理ユニットに係る情報とから、貨幣が設定手段５０により設定された貨幣処理ユニットに正しく投入されているか否かを判定することができる。また、表示部４４等の報知部により操作者にこのことを報知することができるようになっている。
【００６０】
また、本実施の形態の貨幣処理機１０では、制御部１５によって、設定手段５０により設定された貨幣処理ユニットとは別の貨幣処理ユニットに貨幣が投入されたと判定されたとき（すなわち、貨幣が誤投入されたと判定されたとき）に、貨幣が誤投入されたことが表示部４４により操作者に報知されるだけでなく、貨幣処理ユニットの外部から取り出し可能な領域に誤投入された貨幣を送るようになっている（ＳＴＥＰ５）。この誤投入された貨幣の返却処理は、制御部１５が貨幣処理機１０の各構成要素を制御することにより行われるようになっている。具体的には、例えば貨幣処理機１０に投入すべき貨幣が硬貨である場合に、設定手段５０により設定された硬貨処理装置（例えば、硬貨処理装置３０）とは別の硬貨処理装置（例えば、硬貨処理装置３０ａ）の硬貨投入口３１に誤投入された硬貨は、自重により落下して硬貨繰出部３３に貯留されたあと１枚ずつ搬送部３５に繰り出され、識別部３５ａを通り、リジェクト選別部３５ｂにより硬貨リジェクト口３２に送られるようになっている。このことにより、設定手段５０により設定された貨幣処理ユニットとは別の貨幣処理ユニットに誤投入された貨幣が当該別の貨幣処理ユニットの外部から取り出し可能な領域に送られるようになっているため、誤投入された貨幣を効率的に取り出すことができるようになっている。
【００６１】
また、上述したような誤投入された硬貨の返却処理は、硬貨リジェクト口３２に硬貨を送るような態様に限定されることはなく、リジェクト選別部３５ｂを通過したあと、オーバーフロー選別部３５ｃにより出金一時保留部３７に送られ、その後硬貨返却口３８に送られるようになっていてもよい。
【００６２】
また、貨幣処理ユニットの外部から取り出し可能な領域（例えば、硬貨リジェクト口３２）に貨幣が送られると、誤投入された貨幣処理ユニットから貨幣を取り出し、設定手段５０により設定された貨幣処理ユニット（すなわち、正しい貨幣処理ユニット）に再投入するよう指示する旨の画面が表示部４４に表示されるようになっている。このことにより、操作者は正しい貨幣処理ユニットに貨幣を投入すべきことを即座に認識することが可能となるため、貨幣の処理を効率的に行うことができるようになる。
【００６３】
なお、設定手段５０により設定された貨幣処理ユニットとは別の貨幣処理ユニットにおいて、残留貨幣検知手段（例えば、残留硬貨検知手段３３ａ）により残留貨幣が検知されない場合には（ＳＴＥＰ４の「ＮＯ」）、制御部１５は、設定手段５０により設定された貨幣処理ユニットとは別の貨幣処理ユニットの各構成要素を動作させず、当該別の貨幣処理ユニットは待機状態となる（ＳＴＥＰ６）。
【００６４】
ここで、従来の貨幣処理機では、設定手段により設定された貨幣処理ユニットとは別の貨幣処理ユニットに貨幣が投入（すなわち、誤投入）された場合であっても、貨幣が誤投入されたことが操作者に報知されず、また貨幣を外部から取り出し可能な領域に送ることもできないという問題があった。また、投入すべき貨幣が硬貨である場合に、硬貨を投入すべき硬貨処理装置とは別の硬貨処理装置に硬貨を誤投入してしまったときには、操作者が硬貨処理装置の硬貨投入口に手を差し込み、この誤投入した硬貨を取り出す必要があるため、手間がかかるとともに手が汚れてしまうという問題があった。これに対し、本実施の形態による貨幣処理機１０では、誤投入された貨幣を貨幣処理ユニットの外部から取り出し可能な領域に送ることができるようになっているため、操作者は、この外部から取り出し可能な領域に送られた貨幣を取り出し、設定手段５０により設定された貨幣処理ユニットに再投入するだけで貨幣を正しく処理することができるようになる。また、誤投入された貨幣が硬貨であるときにも、貨幣処理ユニットの投入口に手を差し込むことなく誤投入された硬貨を取り出すことができるため、従来の貨幣処理機から誤投入された貨幣を取り出す場合と比較して、手を汚すことなく効率的に誤投入された貨幣を取り出すことができる。さらに、硬貨処理装置の構成によっては、誤投入された貨幣を取り出すために貨幣処理ユニットを開ける必要があるところ、本実施の形態においては、そのような手間がかかってしまうことを防ぐことができる。
【００６５】
また、本実施の形態の貨幣処理機１０は、貨幣が誤投入されたこと等を含む上記のガイダンスが表示部４４等の報知部により操作者に報知されるようになっている。このため、例えば操作者が貨幣処理機を使い慣れていないスーパーの顧客等である場合であっても、設定手段５０により設定された貨幣処理ユニットとは別の貨幣処理ユニットに貨幣が誤投入されてしまった状態（すなわち、投入された貨幣を正常に処理することができない状態）から貨幣処理機１０をスムーズに復旧させることができるようになる。このことにより、例えば、セルフレジ等が設置されているスーパー等において、設定手段５０により設定された貨幣処理ユニットとは異なる貨幣処理ユニットに貨幣を誤投入してしまったことによって貨幣処理機１０の復旧に時間がかかってしまい、顧客等が不便に感じることを極力防止することができるようになる。
【００６６】
また、貨幣の入金処理を行う際の貨幣処理機１０における動作の他の例として、図６に示すようなフローチャートに基づいた動作が行われるようになっていてもよい。より詳細には、この貨幣処理機１０の動作の他の例では、設定手段５０により設定された貨幣処理ユニットとは別の貨幣処理ユニットにおいて残留貨幣検知手段により残留貨幣が検知されたとき（ＳＴＥＰ４´の「ＹＥＳ」）に、貨幣が設定手段５０により設定された貨幣処理ユニットとは別の貨幣処理ユニットに投入されたことが表示部４４に表示される（すなわち、操作者に報知される）ようになっている。そして、この残留貨幣を、貨幣処理ユニットの外部から取り出し可能な領域に送るか否かを操作者が選択できるようになっている。より詳細には、設定手段５０により設定された貨幣処理ユニットとは別の貨幣処理ユニットにおいて残留貨幣検知手段により残留貨幣が検知された場合に、例えば、操作者が操作部４５等に設けられたボタンを押下する等により残留貨幣を貨幣処理ユニットの外部から取り出し可能な領域に送ることを選択すると（ＳＴＥＰ５´の「ＹＥＳ」）、制御部１５は、貨幣処理機１０の各構成要素を制御することにより、残留貨幣を貨幣処理ユニットの外部から取り出し可能な領域に送るようになっている（ＳＴＥＰ６´）。
【００６７】
なお、貨幣が設定手段５０により設定された貨幣処理ユニットとは別の貨幣処理ユニットに投入されたことが表示部４４に表示されているときに、残留貨幣を外部から取り出し可能な領域に送らないことが操作者により選択されると（ＳＴＥＰ５´の「ＮＯ」）、制御部１５は、設定手段５０により設定された貨幣処理ユニットとは別の貨幣処理ユニットの各構成要素を動作させず、待機状態となる（ＳＴＥＰ７´）。この場合には、操作者が、貨幣の投入口（例えば、硬貨処理装置３０の硬貨投入口３１）に手を差し込むことにより、この誤投入した貨幣を取り出すようになる。
【００６８】
また、本実施の形態の貨幣処理機１０は、一方の貨幣処理ユニット（例えば、本体側の貨幣処理ユニット）と、もう一方の貨幣処理ユニット（例えば、追加の貨幣処理ユニット）を同時に用いることにより、各々の貨幣処理ユニットによる貨幣の入金処理や出金処理等を並行して行うことが可能となっている。このため、設定手段５０により設定された貨幣処理ユニットとは別の貨幣処理ユニットに誤投入された貨幣が、当該別の貨幣処理ユニットに残留した状態において（例えば、ＳＴＥＰ５´の「ＮＯ」を選択した後の待機状態（図６参照））、他の操作者が入金処理等を行うような状況が発生しうる。このような状況に対処するため、制御部１５は、誤投入された貨幣が残留している貨幣処理ユニットを用いて他の操作者が貨幣の入金等の処理を行おうとしたときに（具体的には、操作部４５により入金処理の指令を与えたときに）、貨幣処理機１０の各構成部材を制御し、誤投入された貨幣が残留している貨幣処理ユニットにおいて貨幣の返却口に残留貨幣を送るようになっている。具体的には、残留貨幣が硬貨の場合には、上述した硬貨の返却処理（ＳＴＥＰ５（図５参照））と同様の動作が行われるようになっている。このことにより、ある操作者が、設定手段５０により設定された貨幣処理とは別の貨幣処理ユニットに誤投入してしまった貨幣と、他の操作者がその貨幣処理ユニットに投入する貨幣とが混ざってしまうことを防止することができるようになる。
【００６９】
また、上述のような、一方の貨幣処理ユニットに誤投入された貨幣が当該貨幣処理ユニットに残留した状態において、他の操作者が入金処理等を行うことにより別の操作者の取り扱う貨幣が貨幣処理ユニットの筐体内部に繰り出されてしまうことを防止する方法として、以下に示す方法が用いられるようになってもよい。具体的には、制御部１５は、設定手段５０により設定された貨幣処理ユニットとは別の貨幣処理ユニットに誤投入された貨幣が残留している場合に、この貨幣処理ユニットを使用不可としてもよい。この場合には、誤投入された貨幣が残留している貨幣処理ユニットに他の操作者が貨幣を投入してしまっても、投入された貨幣が当該貨幣処理ユニットの筐体内部に繰り出されることはない。
【００７０】
また、一方の貨幣処理ユニットに誤投入された貨幣が当該貨幣処理ユニットに残留した状態において、他の操作者が入金処理等を行うことにより異なる操作者の取り扱う貨幣が混ざってしまうことを防止する方法として、以下に示す方法が用いられるようになってもよい。より詳細には、制御部１５によって誤投入された貨幣が残留している貨幣処理ユニットの各構成部材を作動させることにより、当該貨幣処理ユニットに残留している貨幣を貨幣処理機１０の内部に収納するようになっていてもよい。この場合には、例えば、貨幣処理機１０内に残留貨幣回収箱を設け、当該残留貨幣回収箱（図示せず）に残留貨幣を一括して送り、収納するようにしてもよい。また、残留貨幣の入金処理を行うことにより、設定手段５０により設定された貨幣処理とは別の貨幣処理ユニットの内部に残留貨幣を収納するようにしてもよい。具体的には、例えば残留貨幣が硬貨であるときには、硬貨繰出部３３にある残留硬貨を搬送部３５により硬貨繰出部３３から繰り出し、残留硬貨の金種等を識別部３５ａ等により識別した後に、金種毎にリサイクル式硬貨収納部３４に収納するようになっていてもよい。このように、設定手段５０により設定された貨幣処理ユニットとは別の貨幣処理ユニットに残留していた貨幣を当該別の貨幣処理ユニット内部の別の箇所に送った場合であっても、残留貨幣の金種毎の枚数および合計金額と、操作者ＩＤや操作日時および入金金額等とを紐づけて記憶部４７に記憶させることにより、残留貨幣を後から回収することが可能となる。また、ある操作者が設定手段５０により設定された貨幣処理ユニットとは別の貨幣処理ユニットに投入してしまった貨幣と、他の操作者がその貨幣処理ユニットに投入する貨幣とが混ざってしまうことを防止することができるようになる。
【００７１】
また、貨幣処理機１０の構成の他の例として、図７に示すように、硬貨処理装置３０および追加の硬貨処理装置３０ａの硬貨投入口３１にそれぞれ開閉部材としてのシャッタ３１ａを設けるとともに、制御部１５が各シャッタ３１ａの開閉を行うシャッタ駆動部（図示せず）を制御するような構成となっていてもよい。この場合には、設定手段５０により設定された貨幣処理ユニットのシャッタ３１ａを開くとともに設定手段５０により設定された貨幣処理ユニットとは別の貨幣処理ユニットのシャッタ３１ａを閉じるよう制御部１５がシャッタ駆動部を制御することによって、設定手段５０により設定された貨幣処理ユニットとは別の貨幣処理ユニットに貨幣を投入してしまうことをより確実に防止することができるようになる。
【００７２】
また、本実施の形態による貨幣処理機１０は、上述したように、本体側の貨幣処理ユニットと、追加の貨幣処理ユニットを同時に用いることにより、各々の貨幣処理ユニットを用いた貨幣の入金処理や出金処理等を並行して行うことが可能となっている。これまで、貨幣の入金処理を行う際の貨幣処理機１０の動作について説明してきたが、以下に、貨幣の出金処理を行う際の貨幣処理機１０の様々な出金方法について説明する。なお、以下に説明する出金方法は、操作者が操作部４５等を操作することにより設定することができるようになっていてもよいし、外部装置から通信インターフェース部４８を介して制御部１５に送信された情報に基づいて設定されるようになっていてもよい。
【００７３】
まず、本実施の形態による貨幣処理機１０は、本体側の貨幣処理ユニットと、追加の貨幣処理ユニットとを別個に用いて出金処理を行うことができるようになっている。すなわち、ある１人の操作者が本体側の貨幣処理ユニットを用いて出金処理を行うとともに、もう１人の操作者が追加の貨幣処理ユニットを用いて貨幣の出金処理を行うことができるようになっている。また、このときの出金方法として、複数の金種の貨幣（例えば、１００円硬貨や５００円硬貨等）を同時（すなわち、複数の金種が混合した状態で）に出金することも可能である。また、金種毎の出金金額を設定し、それぞれの金種毎に順次出金させること（具体的には、１円硬貨を出金した後に５円硬貨を出金する等）も可能となっている。
【００７４】
ここで、従来の貨幣処理機にも、このような態様の出金処理を行うことができるものが存在している。しかしながら、上記のような出金方法は、出金する貨幣の量が比較的少ない場合には十分実用的であるものの、出金する貨幣の量が比較的多い場合には、貨幣を出金する際に時間がかかってしまうという問題がある。より詳細には、上記の出金方法は、複数の金種の貨幣を同時に出金することができるようになっているが、このとき、出金されるすべての貨幣が共通の搬送部により搬送されるようになっている。このため、大量の貨幣を同時に出金することができず、出金処理に時間がかかってしまうという問題がある。また、硬貨を金種別に出金したい場合には、６回に分けて出金する必要がある（具体的には、１円硬貨、５円硬貨、１０円硬貨、５０円硬貨、１００円硬貨および５００円硬貨）ため、出金処理に時間がかかってしまうという問題がある。
【００７５】
これに対し、本実施の形態における貨幣処理機１０においては、ある１人の操作者による出金処理の際に、本体側の貨幣処理ユニットと、追加の貨幣処理ユニットを同時に用いて出金処理を行うことができるようになっている。また、この出金処理の際に、複数の金種が混合された状態で出金するのか、金種毎に出金するのかを選択することができるようになっている。このことにより、大量の貨幣を一度に出金する場合であっても、複数の搬送部（例えば、硬貨処理装置３０の搬送部３５および硬貨処理装置３０ａの搬送部３５）や出金口（例えば、硬貨処理装置３０の硬貨返却口３８および硬貨処理装置３０ａの硬貨返却口３８）を用いて出金することが可能となるため、従来の貨幣処理機によりも迅速に大量の貨幣の出金ができるようになる。また、金種毎に出金を行う場合であっても、各々の貨幣処理ユニットから同時に２種類の金種の貨幣を出金することができるため、従来の貨幣処理機と比べて、約半分の出金時間で金種別に貨幣を出金することができるようになる。なお、追加の貨幣処理ユニットが２つ以上設けられている場合には、大量の貨幣を更に迅速に出金することができるようになる。また、この場合には、金種毎に出金を行うときの出金時間を更に短縮することができるようになる。
【００７６】
また、貨幣処理機１０による他の出金方法として、本体側の貨幣処理ユニットと追加の貨幣処理ユニットを同時に用いて出金処理を行う場合に、本体側の貨幣処理ユニットのリサイクル収納庫（例えば、硬貨処理装置３０のリサイクル式硬貨収納部３４）と、追加の貨幣処理ユニットのリサイクル収納庫（例えば、硬貨処理装置３０ａのリサイクル式硬貨収納部３４）に収納されている貨幣の収納量を略同一とするように出金する方法がある。具体的には、例えば硬貨の出金処理を行う場合に、硬貨処理装置３０のリサイクル式硬貨収納部３４に収納されている硬貨の金種毎の枚数と、硬貨処理装置３０ａのリサイクル式硬貨収納部３４に収納されている硬貨の金種毎の枚数とを略同一とするように出金処理を行うことができるようになっている。このことにより、どちらか一方の貨幣処理ユニットにおけるリサイクル収納庫に収納されている貨幣が不足してしまうことを防止することができるようになる。また、この出金処理の際に、複数の金種が混合した状態で出金するのか、金種毎に出金するのかを選択することができるようになっている。
【００７７】
また、貨幣処理機１０による更に他の出金方法として、一方の貨幣処理ユニットから優先的に貨幣を出金することにより、追加の貨幣処理ユニットのリサイクル収納庫を極力フル状態に維持するように出金処理を行う方法がある。また、この際に、複数の金種が混合された状態で出金するのか、金種毎に出金するのかを選択することができるようになっている。この場合には、優先的な出金が行われない貨幣処理ユニットにおけるリサイクル収納庫をできるだけフル状態に維持することができるようになる。
【００７８】
また、貨幣処理機１０による更に他の出金方法として、金種毎に、貨幣が出金される貨幣処理ユニットを選択する方法がある。具体的には、例えば５００円硬貨のみを他の硬貨とは別の出金口に出金したいが、１円硬貨や１０円硬貨等の他の金種の硬貨は金種が混合された状態で出金されてもよい場合に、５００円硬貨のみを一方の貨幣処理ユニットから出金させることができるようになっている。このことにより、他の金種と混合された状態で出金させたくない金種等があるときに、１回の出金処理によりある金種の貨幣を一方の貨幣処理ユニットの出金口から出金することができるとともに残りの金種の貨幣をもう一方の貨幣処理ユニットから出金することが可能となり、よって貨幣の迅速な出金処理を行うことができるようになる。
【００７９】
また、貨幣処理機１０による更に他の出金方法として、一部の金種について一方の貨幣処理ユニットから出金すべき枚数分の貨幣を出金することができない場合（例えば、リサイクル式硬貨収納部３４に収納されている５００円硬貨が出金枚数に対して１枚以上不足しているような場合）に、もう一方の貨幣処理ユニットからその金種の貨幣を全て出金する方法がある。
【００８０】
ここで、追加の貨幣処理ユニットが設けられている従来の貨幣処理機では、設定手段５０により設定された貨幣処理ユニットにおける出金金種のうち一部の金種について枚数が不足している場合（例えば、指定された出金枚数に対し５００円硬貨が１枚あるいは数枚不足しているような場合）には、出金されるべき貨幣処理ユニットにおいて不足している量の貨幣（例えば、上記の場合には、５００硬貨１枚）のみを別の貨幣処理ユニットから出金するようになっていた。このため、例えば、１枚あるいは数枚の貨幣が別の貨幣処理ユニットから出金された場合には、操作者がこのことに気がつかず、取り忘れが発生してしまう可能性があった。
【００８１】
これに対し、本実施の形態による貨幣処理機１０では、出金すべき金種のうち一部の金種について枚数が不足している場合には、上述のように、一方の貨幣処理ユニットから出金することのできない出金金種の貨幣を全てもう一方の貨幣処理ユニットから出金するようになっている。このため、一方の貨幣処理ユニットから当該金種の貨幣が出金されないようになるため、操作者はもう一方の貨幣処理ユニットからも出金処理が行われたことを容易に認識することができるようになる。このことにより、操作者は、貨幣の取り忘れを防止することができるようになる。なお、このような出金方法の他の例として、出金されるべき金種の貨幣が、所定枚数以上（具体的には、所定枚数は２枚以上である）不足している場合にのみ、一方の貨幣処理ユニットにおいて枚数が不足している金種の貨幣を全てもう一方の貨幣処理ユニットから出金するようになっていてもよい。
【００８２】
また、上述のように、一部の貨幣を設定手段５０により設定されていない貨幣処理ユニットから出金する場合に、設定手段５０により設定された貨幣処理ユニットおよび設定手段５０により設定されていない貨幣処理ユニットにおいて出金処理を行った後に、まず、設定手段５０により設定されていない貨幣処理ユニットの出金口の扉（例えば、硬貨返却口３８の扉３８ａ）のみが開くようになっていてもよい。また、このとき、設定手段５０により設定されていない貨幣処理ユニットの出金口から出金された貨幣が取り除かれた後でなければ、設定手段５０により設定された貨幣処理ユニットの出金口の扉が開かないようになっていてもよい。この場合には、設定手段５０により設定されていない貨幣処理ユニットから出金された貨幣を回収しなければ残りの貨幣を取り出すことができないようになっているため、貨幣の取り忘れを確実に防止することができるようになる。
【００８３】
また、このような、ある出金金種の貨幣の枚数が不足しており、当該出金金種の貨幣を設定手段５０により設定されていない貨幣処理ユニットから出金する場合における更に他の出金方法として、少額金種（例えば、１円硬貨、５円硬貨、１０円硬貨および５０円硬貨）を一方の貨幣処理ユニットから出金し、高額金種（例えば、１００円硬貨および５００円硬貨）をもう一方の貨幣処理ユニットから出金するように出金する方法がある。このことにより、操作者は、もう一方の貨幣処理ユニットからも出金処理が行われたことを容易に把握することができるため、出金された貨幣を取り忘れてしまうことを防止することができるようになっている。
【００８４】
また、更に他の出金方法として、例えば硬貨の出金処理を行う場合に、一方の貨幣処理ユニットからは１系の硬貨（具体的には、１円硬貨、１０円硬貨、および１００円硬貨）のみを出金し、もう一方の貨幣処理ユニットからは５系の硬貨（具体的には、５円硬貨、５０円硬貨、および５００円硬貨）のみを出金する方法がある。この場合には、操作者は、もう一方の貨幣処理ユニットからも出金処理が行われたことを容易に把握することができるとともに、硬貨を１系の硬貨と５系の硬貨とに分けて出金することができるようになる。
【００８５】
なお、これまでは、貨幣処理機１０における貨幣の入金処理および出金処理について、主に貨幣処理機１０により処理される貨幣が硬貨である場合について説明したが、貨幣処理機１０により処理される貨幣が紙幣であるときにも、上述した貨幣処理機１０の硬貨の入金処理および出金処理と同様の原理を用いることができる。具体的には、例えば、追加の貨幣処理ユニットとして紙幣処理装置が設けられており、設定手段５０により設定された貨幣処理ユニットが追加の貨幣処理ユニットであり、投入すべき貨幣が紙幣である場合（すなわち、追加の紙幣処理装置の入金口に紙幣を投入すべき場合）に、設定手段５０により設定された貨幣処理ユニットとは別の貨幣処理ユニット（すなわち、本体側の貨幣処理ユニットを構成する紙幣処理装置２０）に紙幣を誤投入した場合の貨幣処理機１０の動作について以下に説明する。
【００８６】
まず、操作者が操作部４５を操作する等により貨幣処理機１０に入金処理の指令が与えられると、追加の貨幣処理ユニットに係る情報が報知部（具体的には、表示部４４）により操作者に報知されるようになっている。このときに、本体側の貨幣処理ユニットを構成する紙幣処理装置２０の紙幣投入口２１に操作者が誤って紙幣を投入した場合には、制御部１５によりこのこと（すなわち、紙幣が誤投入されたこと）が判定され、設定手段５０により設定された貨幣処理ユニットとは別の貨幣処理ユニットに紙幣が投入されたことが報知部により表示部４４に表示される。このことにより、操作者は、設定手段５０により設定された貨幣処理ユニットとは別の貨幣処理ユニットに紙幣を誤投入したことについて即座に認識することができるようになる。
【００８７】
また、誤投入された紙幣は、１枚ずつ搬送部２５に繰り出され、識別部２６を通り、紙幣リジェクト口２２（すなわち、返却口）まで搬送されるようになっている。このことにより、設定手段５０により設定された貨幣処理ユニットとは別の貨幣処理ユニットに誤投入された紙幣が当該別の貨幣処理ユニットの外部から取り出し可能な領域に送られるため、この誤投入された紙幣を設定手段５０により設定された貨幣処理ユニットとは別の貨幣処理ユニットから効率的に取り出すことができるようになる。
【００８８】
以上のような構成からなる本実施の形態の貨幣処理機１０およびこのような貨幣処理機１０を用いた貨幣処理方法によれば、貨幣の入金処理を各々が行う本体側貨幣処理ユニットおよび追加の貨幣処理ユニットを備えるとともに、貨幣が投入されるべき貨幣処理ユニットを設定することができ、貨幣の入金処理が行われる際に、設定手段５０により設定された貨幣処理ユニットに係る情報を操作者に報知するようになっているため、貨幣を投入すべき貨幣処理ユニットとは別の貨幣処理ユニットに操作者が貨幣を誤って投入してしまうことを防止することができる。
【００８９】
また、本実施の形態の貨幣処理機１０は、設定手段５０により設定された貨幣処理ユニットとは別の貨幣処理ユニットに貨幣が投入されると、投入された貨幣を外部から取り出し可能な領域に送るよう別の貨幣処理ユニットを制御する制御部１５を更に備えている。このことにより、設定手段５０により設定された貨幣処理ユニットとは別のユニットに投入された貨幣を外部から取り出し可能な領域に送ることができ、よって設定手段５０により設定された貨幣処理ユニットとは別のユニットに投入された貨幣を容易に取り出すことができるようになる。
【００９０】
また、各貨幣処理ユニットは、それぞれ貨幣を投入するための投入口を有しており、各投入口に残留している貨幣を検知する残留貨幣検知手段（例えば、残留硬貨検知手段３３ａ）が各貨幣処理ユニットに設けられており、設定手段５０により設定された貨幣処理ユニットとは別の貨幣処理ユニットにおいて残留貨幣検知手段により貨幣が検知されると、誤った貨幣処理ユニットに貨幣が投入されたと制御部１５により判定されるようになっている。このことにより、操作者が貨幣を誤投入してしまったことに気が付かない場合であっても、貨幣が誤投入されたことを自動で判定することができるようになる。
【００９１】
また、本実施の形態の貨幣処理機１０の他の例においては、図７に示すように、各貨幣処理ユニットは、それぞれ貨幣を投入するための投入口と、各投入口を開閉するための開閉部材（シャッタ３１ａ）とを有しており、設定手段５０により設定された貨幣処理ユニットの開閉部材が開かれるとともに設定手段５０により設定された貨幣処理ユニットとは別の貨幣処理ユニットの開閉部材が閉じられるようになっているため、設定手段５０により設定された貨幣処理ユニットとは別の貨幣処理ユニットに貨幣が投入されてしまうことをより確実に防止することができるようになる。
【００９２】
また、本実施の形態の貨幣処理機１０では、設定手段５０により設定された貨幣処理ユニットとは別の貨幣処理ユニットに貨幣が投入された場合にこのことが表示部４４等の報知部により操作者に報知されるようになっている。このことにより、操作者は、設定手段５０により設定された貨幣処理とは別の貨幣処理ユニットに貨幣が投入されたことをより確実に認識することができる。また、この設定手段５０により設定された貨幣処理ユニットとは別の貨幣処理ユニットに貨幣を取り出す旨の指示が報知部により操作者に報知されるようになっている。また、設定手段５０により設定された貨幣処理ユニットとは別の貨幣処理ユニットから取り出された貨幣を、設定手段５０により設定された貨幣処理ユニットに再投入する旨の指示が報知部により操作者に報知されるようになっている。このように、表示部４４等の報知部により、誤投入された貨幣を取り出し、設定手段５０により設定された貨幣処理ユニット（すなわち、正しい貨幣処理ユニット）に投入する旨の指示がされるようになっているため、操作者は正しい貨幣処理ユニットに貨幣を再投入すべきことを即座に認識することが可能となり、よって貨幣の処理を効率的に行うことができるようになる。
【００９３】
なお、本発明による貨幣処理機は、上記の態様に限定されることはなく、様々な変更を加えることができる。
【００９４】
例えば、追加の貨幣処理ユニット（具体的には、追加の硬貨処理装置３０ａおよび追加の貨幣収納部４０ａ）は、貨幣の入金処理および出金処理を行うものに限定されることはない。追加の貨幣処理ユニットとして、貨幣の入金処理あるいは出金処理のみが行われるものが用いられてもよい。
【００９５】
また、追加の貨幣処理ユニット（具体的には、追加の硬貨処理装置３０ａおよび追加の貨幣収納部４０ａ）は、貨幣処理機における紙幣処理装置２０側の側面に横付けされることに限定されることはない。変形例に係る貨幣処理機において、追加の貨幣処理ユニットが、貨幣処理機における硬貨処理装置３０側の側面に横付けされるようになっていてもよい。
【００９６】
また、本体側の貨幣処理ユニットと追加の貨幣処理ユニットとを別個に用いて出金処理を行う際にも、本体側の貨幣処理ユニットと、追加の貨幣処理ユニットのリサイクル収納庫に収納されている貨幣の容量が略同一になるように出金するようになっていてもよい。具体的には、本体側の貨幣処理ユニットまたは追加の貨幣処理ユニットのうちどちらを用いて貨幣の出金処理を行ってもよい場合等に、表示部４４にその旨を表示させることにより、操作者に一方の貨幣処理ユニットを用いるよう報知するようになっていてもよい。このことにより、一方の貨幣処理ユニットがもう一方の貨幣処理ユニットよりも多く用いられることによって一方の貨幣処理ユニットのリサイクル収納庫において貨幣が不足してしまうことを防止することができるようになる。
【００９７】
また、上述した貨幣処理機１０における様々な入金処理の方法は、追加の貨幣処理ユニットを設けることができるとともに入金処理のみが行われる貨幣入金機に用いられるようになっていてもよい。この場合であっても、本発明の原理を適用することができ、よって上述した貨幣処理機１０と同等の効果を奏することができるようになる。
【００９８】
また、上述した貨幣処理機１０における様々な出金処理の方法は、追加の貨幣処理ユニットを設けることができるとともに出金処理のみが行われる貨幣出金機に用いられるようになっていてもよい。この場合であっても、本発明の原理を適用することができ、よって上述した貨幣処理機１０と同等の効果を奏することができるようになる。
【符号の説明】
【００９９】
１０    貨幣処理機
１１    筐体
１５    制御部
２０    紙幣処理装置
２１    紙幣投入口
２２    紙幣リジェクト口
２３    紙幣返却口
２４    扉
２５    搬送部
２６    識別部
２７、２７ａ〜２７ｃ  リサイクル式紙幣収納部
２７ｐ  ドラム
２８    紙幣ステージ
２９    紙幣保留部
２９ａ  一時保留板
２９ｂ  押さえ部材
３０    硬貨処理装置
３０ａ  追加の硬貨処理装置
３１    硬貨投入口
３１ａ  シャッタ（開閉部材）
３２    硬貨リジェクト口
３３    硬貨繰出部
３３ａ  残留硬貨検知手段（残留貨幣検知手段）
３４    リサイクル式硬貨収納部
３４ａ  出金搬送部
３５    搬送部
３５ａ  識別部
３５ｂ  リジェクト選別部
３５ｃ  オーバーフロー選別部
３６    選別部
３７    出金一時保留部
３８    硬貨返却口
３８ａ  扉
３９    収納シュート
４０    貨幣収納部
４０ａ  追加の貨幣収納部
４１    紙幣回収カセット
４１ａ  ステージ
４２    硬貨回収カセット
４３    プリンタ
４４    表示部
４５    操作部
４６    カードリーダ
４７    記憶部
４８    通信インターフェース部
５０    設定手段
【図１】
2018073280.tif 000003
【図２】
2018073280.tif 000004
【図３】
2018073280.tif 000005
【図４】
2018073280.tif 000006
【図５】
2018073280.tif 000007
【図６】
2018073280.tif 000008
【図７】
2018073280.tif 000009